(57)【要約】【課題】本発明は、マイコンメーターのガス流量の検出からだけでは、下流側に接続されたガス機器のタイプが分からず、ガス料金の機種毎の料金体系の構築に対応できないということを課題とするものである。【解決手段】ガス使用機器２の機種情報を通信ユニット３を介してマイコンメーター１に情報データとして送信することで、マイコンメーター１内での各機種判別を行えるようにする。【選択図】  図１
2004245541.tif 000002
【特許請求の範囲】
【請求項１】
ガス使用機器の機種情報をデータとして送信する通信ユニットと、前記機種情報データを受信するマイコンメーターとで構成され、前記通信ユニットと前記マイコンメーターとで通信して、前記機種情報を前記マイコンメーターが認識するガス保安システム。
【請求項２】
機種情報を無線データとして送信する無線ユニットを備え、前記無線データを受信するマイコンメーターとで構成する請求項１記載のガス保安システム。
【請求項３】
ガス使用機器の運転時間の計測を行い、その運転時間の情報を無線ユニットとマイコンメーターとで通信して、前記マイコンメーターが認識する請求項２記載のガス保安システム。
【請求項４】
ガス使用機器が運転の開始時刻と終了時刻の情報を無線ユニットからマイコンメーターへ送信することにより、前記マイコンメーターで運転時間の計測を行う請求項２記載のガス保安システム。
【請求項５】
公衆回線へ接続できる接続手段を備えて、ガス使用機器の運転時間の情報を得たマイコンメーターが、公衆回線への前記接続手段を通じて運転時間情報を宅外へ送信する請求項３または４記載のガス保安システム。
【請求項６】
ガス使用機器の瞬時の使用ガス量を無線ユニットからマイコンメーターへ送信することにより、前記マイコンメーターでの測定流量と前記使用ガス量との誤差補正を行う請求項２記載のガス保安システム。
【請求項７】
超音波による流量測定を行うマイコンメーターにおいて、ガス使用機器の運転情報を無線ユニットから前記マイコンメーターが受信して前記運転情報に応じて超音波による流量測定時の流量検出パルスのタイミングを変更する請求項２記載のガス保安システム。
【発明の詳細な説明】
【０００１】
【発明の属する技術分野】
本発明は、ガス流量を計測し、異常流量が計測された場合にはガス通路を遮断し、ガス使用上の安全性を確保するガス保安システムに関するものである。
【０００２】
【従来の技術】
近年、ガスの使用量を計測するガスメータに、多量の流量が計測された場合や、通常ではありえないほどの長時間使用があった場合には、異常と判定してガス通路を遮断し、安全性を確保する保安装置が内蔵されたものが普及している。
【０００３】
そして、このガスメーターの下流側にはさまざまな種類のガス機器が接続されているが、接続されたガス機器のガス消費量の判別には、ガスメーターを流れるガス流量の変化より推測していたり、ガスメーターのガスの出力側を接続機器毎に分けてそれぞれに流量検出部を設けるといった方式が採られていた（例えば、特許文献１参照）。
【０００４】
【特許文献１】
特開平１０−２０６２０１号公報
【０００５】
【発明が解決しようとする課題】
しかしながら、ガスの出力側を接続機器毎に分けてそれぞれに流量検出部を設けるだけではガスメータの下流に接続されているガス機器がどのようなタイプが接続され、また、動作しているのがどのタイプなのかが正確に判別出来ないため、電気料金の様に機種によって料金を変更したりするようなことができないという課題があった。
【０００６】
また、ガスの流量を測定してガス使用量を決定している方式の為、複数の使用量が違うガス機器が接続されている場合、どの機器が現在どの程度のガス使用量で運転しているか正確に判断できないという課題があった。
【０００７】
【課題を解決するための手段】
上記課題を解決するため本発明では、ガス機器の機種情報をマイコンメーターに取り込むことにより、ガス使用量のガス機器毎の料金設定やメンテナンス等にも対応できるようにしたものである。
【０００８】
【発明の実施の形態】
本発明の第１の請求項によるガス保安システムは、ガス使用機器の機種情報をデータとして送信する通信ユニットと、前記機種情報データを受信するマイコンメーターとで構成され、前記通信ユニットと前記マイコンメーターとで通信して、前記機種情報を前記マイコンメーターが認識するものである。
【０００９】
これにより、マイコンメーターはどのタイプのガス使用機器が現在運転中であるか正確に判定できる。
【００１０】
本発明の第２の請求項によるガス保安システムは、機種情報を無線データとして送信する無線ユニットを備え、前記無線データを受信するマイコンメーターとで構成するものである。
【００１１】
これにより、面倒な配線処理を行うことなく、また、多数のガス使用機器への対応も簡単に行うことが出来る。
【００１２】
本発明の第３の請求項によるガス保安システムは、請求項２記載のガス保安システムにおいて、ガス使用機器の運転時間の計測を行い、その運転時間の情報を無線ユニットとマイコンメーターとで通信して、前記マイコンメーターが認識するものである。
【００１３】
これにより、マイコンメーターは下流側に接続されているガス使用機器それぞれの運転使用時間を認識することができ、ガス使用量のガス機器毎の料金設定やメンテナンス等にこのデータを利用することができる。
【００１４】
本発明の第４の請求項によるガス保安システムは、請求項２記載のガス保安システムにおいて、ガス使用機器が運転の開始時刻と終了時刻の情報を無線ユニットからマイコンメーターへ送信することにより、前記マイコンメーターで運転時間の計測を行うものである。
【００１５】
これにより、ガス使用機器は運転の開始時刻と終了時刻の情報を送信するだけで、マイコンメーター側でガス使用機器の運転使用時間やメンテナンスデータを作成することができる。
【００１６】
本発明の第５の請求項によるガス保安システムは、請求項３または４記載のガス保安システムにおいて、公衆回線へ接続できる接続手段を備えて、ガス使用機器の運転時間の情報を得たマイコンメーターが、公衆回線への前記接続手段を通じて運転時間情報を宅外へ送信するものである。
【００１７】
これにより、ガス機器のメンテナンス会社や使用料金請求会社はガス機器の運転時間情報を容易に入手することが出来、サービスに活用することができる。
【００１８】
本発明の第６の請求項によるガス保安システムは、請求項２記載のガス保安システムにおいて、ガス使用機器の瞬時の使用ガス量を無線ユニットからマイコンメーターへ送信することにより、前記マイコンメーターでの測定流量と前記使用ガス量との誤差補正を行うものである。
【００１９】
これにより、マイコンメーター単独では補正することが難しかった測定誤差をなくすことができる。
【００２０】
本発明の第７の請求項によるガス保安システムは、請求項２記載のガス保安システムにおいて、超音波による流量測定を行うマイコンメーターにおいて、ガス使用機器の運転情報を無線ユニットから前記マイコンメーターが受信して超音波による流量測定時の流量検出パルスのタイミングを変更するものである。
【００２１】
これにより、超音波方式のマイコンメーターにおけるガス流量の測定精度を向上させることができる。
【００２２】
【実施例】
以下、本発明の実施例について図面を用いて説明する。
【００２３】
（実施例１）
図１は本発明の実施例１によるガス保安システムを示す構成図である。
【００２４】
１は、マイコンメーターで、ガス流量の計測部、ガス通路の遮断装置で主に構成されている。２は、ガス使用機器である。３は通信ユニットで、ガス使用機器２の機種情報をデータとしてマイコンメーター１に送信する。機種情報とは、ガス使用機器の用途タイプ、燃焼の大小におけるガス消費量の幅、運転中のガス消費量等を表す。機種情報をデータはガス使用機器２が記憶・計測するのが一般的であるが通信ユニット３が記憶する形態でもよい。
【００２５】
本発明の第１の手段によると、ガス使用機器２が機種情報を通信ユニット３を通じてマイコンメーター１へ送信することにより、マイコンメーター１は、下流側に設置された複数のガス使用機器２にどのようなタイプの機器が接続されているか、また、どの程度のガス使用量で運転しているかを個別に判定できるようになる。
【００２６】
これにより、マイコンメーターはどのタイプのガス使用機器が現在運転中であるか正確に判定できる。またガス供給会社が電気料金の様に機種毎の料金体系を設定しようとしても、対応することができる。
【００２７】
（実施例２）
本発明の実施例２によると、図２に示すように、ガス使用機器２の機種情報を無線データとして変換し、且つマイコンメーター１へ送信する無線ユニット４をマイコンメーターの下流側にあるガス使用機器２全てに設置するようにする。
【００２８】
これにより、一つのマイコンメーターに対して、複数のガス使用機器のデータ受信用の端子を設置する必要がなくなり、また、配線工事、配線自体も無くすことができる。
【００２９】
（実施例３）
本発明の実施例３によると、ガス使用機器２において運転時間の計測、総運転時間の記憶を行い、これを機種情報としてマイコンメーター１へ送信する。マイコンメーター１では、この情報を保存し、必要な時には外部から公衆回線６、接続手段５を通じて確認出来るようにする。
【００３０】
これにより、メンテナンスを行う時には、マイコンメーター１に保存されている情報を確認するだけで、マイコンメーター１の下流側に設置された全てのガス使用機器２の運転情報を知ることができる。
【００３１】
（実施例４）
本発明の実施例４によると、ガス使用機器２は、運転の開始時刻と終了時刻の情報をマイコンメーター１へ送信する。送信するタイミングは運転開始・終了のときでもいいし、例えば１日１回まとめて送信するでもよい。この情報を受けたマイコンメーター１は、運転開始から終了までの時間の計測・記録を行い、また、日々機器毎の運転時間の総計を計算する。
【００３２】
これにより、無線ユニット４の通信可能エリアに通信トラフィックの負担を増やすことなく、マイコンメーター側でガス使用機器の運転使用時間やメンテナンスデータを作成することができる。
【００３３】
（実施例５）
本発明の実施例５によると、図３に示すように、マイコンメーター１に公衆回線へ接続できる接続手段５の設置を行う。そして、実施例３または４で得られたガス使用機器２の運転時間の情報を接続手段５を利用して公衆回線網に載せ、メンテナンスや使用料金請求を担当する会社へ送信する。或いは、会社側から運転時間の情報を公衆回線網を利用して吸い上げれるようにする。
【００３４】
これにより、メンテナンス会社はガス使用機器の運転状況から、点検が必要な時期なのか、交換が必要な時期なのかを知ることができ、また、それによる買い換え促進等のサービスにも利用できる。電気料金の様にガス機器毎の料金設定を行うことができる。
【００３５】
（実施例６）
本発明の実施例６によると、図４に示すように、ガス使用機器２が運転中のガス使用量を無線ユニット４を通じてマイコンメータ１に送信し、このデータを受けたマイコンメーター１は自身の測定データの補正を行うようにする。
【００３６】
補正時には、マイコンメーター１の測定値を優先にしたり、ガス使用機器２のデータを優先にしたり、季節や温度の状況、ガスの機種により優先にする方を都度選択したりすることもできる。
【００３７】
これにより、マイコンメータ−単独ではできなかった測定値の補正を行う事が出来、ガスの検針誤差を少なくすることが出来る。
【００３８】
（実施例７）
本発明の実施例７によると、ガス使用機器２が運転中のガス使用量を無線ユニット４を通じて超音波方式のマイコンメータに送信し、このデータを受けた超音波方式のマイコンメーターは流量検出用のパルス信号の出力タイミングをデータに合わせて変更するようにする。
【００３９】
例えば、ガス使用機器２からのガス使用量が少ない時には、測定精度を向上させるために検出パルスを多く出し、ガス使用量が多い時には、検出パルスが少なくても測定精度が出る為パルスを少なくするといったようにする。また、ガス使用機器が全く運転していないときには、流量検出パルスの信号出力を出さないようにする。
【００４０】
これにより、超音波方式のマイコンメータ−での測定精度の向上や、駆動電源への負担を軽くすることが出来る。
なお、以上の実施例における通信ユニット及び無線ユニットは、機器に内蔵してもよいし、機器の制御回路と一緒にしても良い。
【００４１】
【発明の効果】
以上の説明から明らかのように本発明のガス保安システムによれば、次の効果が得られる。
【００４２】
マイコンメーターの下流に接続されたガス使用機器がどのタイプの物であり、どの程度の運転状態であるかをマイコンメーターが認識できるので、ガス使用量のガス機器毎の料金設定等にも対応できるようになる。
【図面の簡単な説明】
【図１】本発明の実施例１におけるガス保安システムを示す構成図
【図２】本発明の実施例２、３、４におけるガス保安システムを示す構成図
【図３】本発明の実施例５におけるガス保安システムを示す構成図
【図４】本発明の実施例６におけるガス保安システムを示す構成図
【符号の説明】
１  マイコンメーター
２  ガス使用機器
３  通信ユニット
４  無線ユニット
５  接続手段
６  公衆回線
【図１】
2004245541.tif 000003
【図２】
2004245541.tif 000004
【図３】
2004245541.tif 000005
【図４】
2004245541.tif 000006